(57)【特許請求の範囲】
【請求項１】
入力映像の映像情報を照度センサにより感知された外部照度における映像情報にマッピングするためのＬＵＴを生成するＬＵＴ生成モジュールであって、前記映像情報は輝度と彩度を含み、前記ＬＵＴは、前記外部照度における輝度と彩度がそれぞれ前記入力映像の輝度と彩度より高い値になるよう設定される、ＬＵＴ生成モジュールと、
前記ＬＵＴを用いて入力映像の映像情報を前記外部照度における映像情報にマッピングする映像マッピングモジュールと、
前記外部照度が一定に持続する時間に応じて定められたパラメータを用いて前記マッピングされた映像情報の中で相対的に明るい領域を更に明るくし且つ暗い領域を更に暗くすることにより、コントラストを強化するコントラスト強化モジュールと、を含むことを特徴とする映像の視認性を向上させる装置。
【請求項２】
前記映像マッピングモジュールは、前記ＬＵＴに前記入力映像の映像情報に対応する前記外部照度における映像情報が設定されていない場合には、隣接する映像情報を補間してマッピングすることを特徴とする請求項１に記載の映像の視認性を向上させる装置。
【請求項３】
前記コントラスト強化モジュールは、
前記入力映像及び前記映像マッピングモジュールによってマッピングされた映像の輝度を求める輝度演算モジュールと、
前記入力映像を構成する画素の輝度情報と前記マッピングされた映像を構成する画素の輝度情報とをフィルタリングする低域通過フィルタと、
前記入力映像を構成する画素の輝度情報と前記フィルタリングされた輝度情報と前記入力映像を構成する全体画素に対する平均輝度情報とに基づいて入力映像に対するコントラストインデックス（ｃｏｎｔｒａｓｔ  ｉｎｄｅｘ）とコントラスト比率インデックス（ｃｏｎｔｒａｓｔ  ｒａｔｉｏ  ｉｎｄｅｘ）とを演算するインデックス演算モジュールと、
前記コントラストインデックスと前記コントラスト比率インデックスとに基づいて前記パラメータによって、前記マッピングされた映像情報の中で相対的に明るい領域を更に明るくし且つ暗い領域を更に暗くすることによりコントラストを強化するコントラスト補償モジュールと、を含むことを特徴とする請求項１に記載の映像の視認性を向上させる装置。
【請求項４】
前記コントラストインデックスは、
【数１】
0005527931.tif 000003
によって決定され、このとき、Ｙ＿ｍｅａｎｓは入力映像を構成する全体画素に対する平均輝度を表わし、Ｙ＿ｐｉｘｅｌは入力映像を構成する画素に対する輝度を表わすことを特徴とする請求項３に記載の映像の視認性を向上させる装置。
【請求項５】
前記コントラスト比率インデックスは、
【数２】
0005527931.tif 000004
によって決定され、このとき、Ｙ＿ｐｉｘｅｌは入力映像を構成する画素の輝度を表わし、Ｙ＿ｐｉｘｅｌ＿ｆｉｌｔｅｒｅｄはフィルタリングされたＹ＿ｐｉｘｅｌを表わし、Ｙ’＿ｐｉｘｅｌは前記マッピングされた映像を構成する画素の輝度を表わし、Ｙ’＿ｐｉｘｅｌ＿ｆｉｌｔｅｒｅｄはフィルタリングされたＹ’＿ｐｉｘｅｌを表わすことを特徴とする請求項３に記載の映像の視認性を向上させる装置。
【請求項６】
前記コントラスト補償モジュールは、前記コントラストインデックスを基準に前記マッピングされた映像の画素領域を暗い領域や明るい領域と判断することを特徴とする請求項３に記載の映像の視認性を向上させる装置。
【請求項７】
前記マッピングされた映像の画素領域が暗い領域と判断された場合、前記コントラスト補償モジュールは、前記パラメータを用いて前記マッピングされた映像の画素領域の輝度を減少させることを特徴とする請求項６に記載の映像の視認性を向上させる装置。
【請求項８】
前記マッピングされた映像の画素領域が明るい領域と判断された場合、前記コントラスト補償モジュールは、前記コントラスト比率インデックスに基づいて前記マッピングされた映像の画素領域のコントラストを向上させるか否かを決定し、コントラストを向上させる領域と判断された場合、前記パラメータを用いて前記マッピングされた映像の画素領域の輝度を増加させることを特徴とする請求項６に記載の映像の視認性を向上させる装置。
【請求項９】
入力映像の映像情報を照度センサにより感知された外部照度における映像情報にマッピングするためのＬＵＴを生成する（ａ）段階であって、前記映像情報は輝度と彩度を含み、前記ＬＵＴは、前記外部照度における輝度と彩度がそれぞれ前記入力映像の輝度と彩度より高い値になるよう設定される、（ａ）段階と、
前記ＬＵＴを用いて入力映像の映像情報を前記外部照度における映像情報にマッピングする（ｂ）段階と、
前記外部照度が一定に持続する時間に応じて定められたパラメータを用いて前記マッピングされた映像情報の中で相対的に明るい領域を更に明るくし且つ暗い領域を更に暗くすることにより、コントラストを強化する（ｃ）段階と、を含むことを特徴とする映像の視認性を向上させる方法。
【請求項１０】
前記（ｂ）段階は、前記ＬＵＴに前記入力映像の映像情報に対応する前記外部照度における映像情報が設定されていない場合に、隣接する映像情報を補間してマッピングする段階を含むことを特徴とする請求項９に記載の映像の視認性を向上させる方法。
【請求項１１】
前記（ｃ）段階は、
前記入力映像及び前記映像マッピングモジュールによってマッピングされた映像の輝度を求める（ｃ−１）段階と、
前記入力映像を構成する画素の輝度情報と前記マッピングされた映像を構成する画素の輝度情報とをフィルタリングする（ｃ−２）段階と、
前記入力映像を構成する画素の輝度情報と前記フィルタリングされた輝度情報と前記入力映像を構成する全体画素に対する平均輝度情報とに基づいて入力映像に対するコントラストインデックスとコントラスト比率インデックスとを演算する（ｃ−３）段階と、
前記コントラストインデックスと前記コントラスト比率インデックスとに基づいて前記パラメータによって、前記マッピングされた映像情報の中で相対的に明るい領域を更に明るくし且つ暗い領域を更に暗くすることによりコントラストを強化する（ｃ−４）段階と、を含むことを特徴とする請求項９に記載の映像の視認性を向上させる方法。
【請求項１２】
前記コントラストインデックスは、
【数３】
0005527931.tif 000005
によって決定され、このとき、Ｙ＿ｍｅａｎｓは入力映像を構成する全体画素に対する平均輝度を表わし、Ｙ＿ｐｉｘｅｌは入力映像を構成する画素の輝度を表わすことを特徴とする請求項１１に記載の映像の視認性を向上させる方法。
【請求項１３】
前記コントラスト比率インデックスは、
【数４】
0005527931.tif 000006
によって決定され、このとき、Ｙ＿ｐｉｘｅｌは入力映像を構成する画素の輝度を表わし、Ｙ＿ｐｉｘｅｌ＿ｆｉｌｔｅｒｅｄはフィルタリングされたＹ＿ｐｉｘｅｌを表わし、Ｙ’＿ｐｉｘｅｌは前記マッピングされた映像を構成する画素の輝度を表わし、Ｙ’＿ｐｉｘｅｌ＿ｆｉｌｔｅｒｅｄはフィルタリングされたＹ’＿ｐｉｘｅｌを表わすことを特徴とする請求項１１に記載の映像の視認性を向上させる方法。
【請求項１４】
前記（ｃ−４）段階は、前記コントラストインデックスを基準に前記マッピングされた映像の画素領域を暗い領域や明るい領域と判断する段階を含むことを特徴とする請求項１１に記載の映像の視認性を向上させる方法。
【請求項１５】
前記マッピングされた映像の画素領域が暗い領域と判断された場合、前記（ｃ−４）段階は、前記パラメータを用いて前記マッピングされた映像の画素領域の輝度を減少させる段階をさらに含むことを特徴とする請求項１４に記載の映像の視認性を向上させる方法。
【請求項１６】
前記マッピングされた映像の画素領域が明るい領域と判断された場合、前記（ｃ−４）段階は、前記コントラスト比率インデックスに基づいて前記マッピングされた映像の画素領域のコントラストを向上させるか否かを決定する段階と、
コントラストを向上させる領域と判断された場合、前記パラメータを用いて前記マッピングされた映像の画素領域の輝度を増加させる段階と、をさらに含むことを特徴とする請求項１４に記載の映像の視認性を向上させる方法。
【発明の詳細な説明】
【技術分野】
【０００１】
本発明は、映像の視認性向上に係り、より詳細には、デジタルカメラ、カメラフォン、カムコーダのような装置が高照度環境で映像を提供する場合に、映像の視認性を向上させることに関する。
【背景技術】
【０００２】
一般的に、携帯電話、ＰＤＡのような個人用携帯端末機のディスプレイ画面は、ユーザが所望のコンテンツをいつでもとこでも見られる機能を提供すると同時に、‘携帯性’、‘移動性’という特性によってそれほど多様な周囲環境に露出される特性を有する。
【０００３】
しかし、個人用携帯端末機のディスプレイ画面で表示される映像は、照度、色温度のような周囲環境の影響を受けて同一の映像と言っても周囲環境によって異なって見られる。特に、晴れた日の野外でのようにディスプレイ画面の輝度より周囲の照度がずっと高い場合には、ディスプレイ画面で表示される映像の視認性が急激に落ちる。
【０００４】
ところが、このような視認性の低下は、個人用携帯端末機が有する多様な長所を減衰させる一つの要因として作用できる。
【０００５】
したがって、周囲環境が変わってもディスプレイ画面で表示される映像の視認性を維持させ、特に高照度の周囲環境で映像の視認性が低下されないようにする必要性が生ずるようになった。
【特許文献１】韓国公開特許第１９９７−０３１９９８号公報
【発明の開示】
【発明が解決しようとする課題】
【０００６】
本発明は、物理的な一つのディスプレイ装置内でＬＵＴを用いて映像マッピングを実行することで高照度環境で映像の視認性を確保し、局所的なコントラスト（ｌｏｃａｌ  ｃｏｎｔｒａｓｔ）特性を向上させる装置及び方法を提供することを目的とする。
【０００７】
本発明は、前述した目的に制限されず、言及されていないさらなる目的は、下記から当業者に明確に理解されるであろう。
【課題を解決するための手段】
【０００８】
前記目的を果たすための本発明の実施形態によって映像の視認性を向上させる装置は、外部照度によって入力映像の輝度と彩度とを強化するように、前記入力映像の映像情報に対応する高照度環境での映像情報が設定されたＬＵＴを生成するＬＵＴ生成モジュールと、前記生成されたＬＵＴを用いて入力される映像の映像情報を前記高照度環境での映像情報にマッピングする映像マッピングモジュール及び前記外部照度による局所的なコントラスト調節のためのパラメータを用いて前記マッピングされた映像情報に対する局所的なコントラストを強化する局所的なコントラスト強化モジュールを含む。
【０００９】
また、前記目的を果たすための本発明の実施形態によって映像の視認性を向上させる方法は、外部照度によって入力映像の輝度と彩度とを強化するように、前記入力映像の映像情報に対応する高照度環境での映像情報が設定されたＬＵＴを生成する（ａ）段階と、前記生成されたＬＵＴを用いて入力される映像の映像情報を前記高照度環境での映像情報にマッピングする（ｂ）段階及び前記外部照度による局所的なコントラスト調節のためのパラメータを用いて前記マッピングされた映像情報に対する局所的なコントラストを強化する（ｃ）段階を含む。
【発明の効果】
【００１０】
本発明によれば、高照度環境でも知覚的に映像の歪曲がないように局所的なコントラスト補償による映像の視認性を確保できる。
【発明を実施するための最良の形態】
【００１１】
その他の実施形態の具体的な事項は、詳細な説明及び図面に含まれている。
【００１２】
本発明の利点及び特徴、そしてそれらの達成方法は、添付図面と共に詳細に後述されている実施形態を参照すれば、明確になる。しかし、本発明は、以下で開示される実施形態に限定されず、相異なる多様な形態で具現でき、単に本実施形態は本発明の開示を完全にし、当業者に発明の範ちゅうを完全に知らせるために提供され、本発明は特許請求の範囲により定義されるだけである。
【００１３】
以下、本発明の実施形態によって高照度環境で映像の視認性を向上させる装置及び方法を説明するためのブロック図または処理フローチャートを参考にして、本発明について説明する。このとき、処理フローチャートの各ブロックとフローチャートとの組合わせは、コンピュータプログラムインストラクションによって行われるということを理解できるであろう。これらコンピュータプログラムインストラクションは、汎用コンピュータ、特殊用コンピュータまたはその他のプログラム可能なデータプロセッシング装備のプロセッサに搭載されることができるので、コンピュータまたはその他のプログラム可能なデータプロセッシング装備のプロセッサによって行われるそのインストラクションがフローチャートブロックで説明された機能を実行する手段を生成させる。これらコンピュータプログラムインストラクションは、特定方式で機能を具現するためにコンピュータまたはその他のプログラム可能なデータプロセッシング装備が備えられるコンピュータによって利用可能または読取可能なメモリに保存されることも可能なので、そのコンピュータによって利用可能または読取可能なメモリに保存されたインストラクションは、フローチャートブロックで説明された機能を行うインストラクション手段を含む製造品目の生産に用いることも可能である。コンピュータプログラムインストラクションは、コンピュータまたはその他のプログラム可能なデータプロセッシング装備上に搭載されることも可能なので、コンピュータまたはその他のプログラム可能なデータプロセッシング装備上で一連の動作段階が行われてコンピュータで実行されるプロセスを生成してコンピュータまたはその他のプログラム可能なデータプロセッシング装備を行うインストラクションはフローチャートブロックで説明された機能を実行するための段階を提供することも可能である。
【００１４】
また、各ブロックは、特定された論理的機能を実行するための一つ以上の実行可能なインストラクションを含むモジュール、セグメントまたはコードの一部を表すことができる。また、いくつかの代替実行例では、ブロックで言及された機能が順序から外れて発生することも可能であるということに注目しなければならない。例えば、相次いで図示されている二つのブロックは、実質的に同時に行われることも可能であり、またはそのブロックが時々該当する機能によって逆順に行われることも可能である。
【００１５】
一方、以下、本明細書で使われる‘高照度環境’という用語は、ディスプレイ画面で表示される映像が携帯用端末機外部の高い照度によってユーザが前記表示される映像をよく見ることができないか、外部の高い照度によってユーザ立場では映像の歪曲（例えば、色相、明度または彩度の変化）が発生したと認識される環境を意味する。したがって、高照度環境は、特定値以上の照度を意味するものではなく映像の視認性が低下する照度環境を意味すると理解されうる。
【００１６】
図１は、本発明の一実施形態によって映像の視認性を向上させる装置の構造を示すブロック図である。
図１を参照すれば、本発明による装置１００は、照度感知モジュール１１０、ＬＵＴ生成モジュール１２０、パラメータ生成モジュール１３０、映像マッピングモジュール１４０、そして、局所的なコントラスト強化モジュール１５０を含む。
【００１７】
照度感知モジュール１１０は、装置１００外部の照度を感知する照度センサを含み、感知された照度情報をＬＵＴ生成モジュール１２０とパラメータ生成モジュール１３０とに提供する。
【００１８】
ＬＵＴ生成モジュール１２０は、前記照度情報に基づいて色域マッピングのためのルックアップテーブル（Ｌｏｏｋｕｐ  Ｔａｂｌｅ；ＬＵＴ）を生成する。
【００１９】
パラメータ生成モジュール１３０は、前記照度情報に基づいて局所的なコントラスト（ｌｏｃａｌ  ｃｏｎｔｒａｓｔ）を調節するパラメータを生成する。
【００２０】
映像マッピングモジュール１４０は、ＬＵＴ生成モジュール１２０によって生成されたＬＵＴを用いて入力映像の映像情報を高照度環境での映像情報にマッピングする。
【００２１】
局所的なコントラスト強化モジュール１５０は、パラメータ生成モジュール１３０によって提供されるパラメータ、入力された映像及び映像マッピングモジュール１４０によってマッピングされた映像を用いて入力された映像の局所的なコントラストを強化する。
【００２２】
局所的なコントラスト強化モジュール１５０によって局所的なコントラストが強化された映像は、ディスプレイ画面（図示せず）によってユーザに提供されうる。
【００２３】
このとき、本発明についての実施形態で使われる‘モジュール’という用語は、ソフトウェアまたはＦＰＧＡまたはＡＳＩＣのようなハードウェア構成要素を意味し、モジュールは或る役割を実行する。しかし、モジュールは、ソフトウェアまたはハードウェアに限定される意味ではない。モジュールは、アドレッシングできる記録媒体にあるように構成することもでき、一つまたはそれ以上のプロセッサを再生させるように構成することもできる。
【００２４】
ＬＵＴ生成モジュール１２０は、照度感知モジュール１１０から提供される照度情報に基づいて図２に図示されたようなＲＧＢルックアップテーブルのようなＬＵＴを生成できるが、このときＲＧＢ  ＬＵＴは輝度において、黒色（ｂｌａｃｋ  ｃｏｌｏｒ）の値を向上させながら全体輝度を向上させ、彩度も向上させる特性を有している。生成されたＬＵＴの輝度及び彩度補償特性が図３と図４に図示されている。
【００２５】
図３は、本発明の一実施形態によって輝度を強化するためのグラフを示す図面であり、図４は、本発明の一実施形態によって色相を補正するためのグラフを示す図面である。
【００２６】
まず、図３を参照すれば、横軸と縦軸は、各々輝度Ｌに対して０（黒色）から１００（白色）まで表わしたものであるが、例えば、ＬＣＨ（Ｌｉｇｈｔｎｅｓｓ、Ｃｈｒｏｍａ、Ｈｕｅ）色空間上での任意の画素に対する輝度情報が０である場合、該当する画素の輝度情報を６０に向上させる。また、本発明による輝度強化特性は、ＬＣＨ色空間上での任意の画素に対する輝度情報が０より大きくなる場合、縦軸上の輝度情報が６０である位置から漸進的に増加する特性を有する。ここでは、ＬＣＨ色空間上での任意の画素に対する輝度情報が０である場合、該当する画素の輝度情報Ｌｏｕｔを６０にしたが、これに限定されず、視認性確保が可能なＬｏｕｔであれば、本発明の範ちゅうに属するものと理解されうる。
【００２７】
また、図４を参照すれば、横軸は、任意の画素に対する彩度値を０から１００の間にスケーリングし、各々の画素に対する相対的な彩度強化値を縦軸に表わしている。
【００２８】
図４では、彩度強化程度は、映像の視認性が確保されるように実験によって得られうる。彩度向上のためのグラフは、図４に図示されたものだけではなく、彩度向上によって映像の視認性確保を可能ならしめるグラフなら、本発明での適用が可能である。
【００２９】
一方、輝度と彩度とが強化されれば、一般的にユーザが知覚するブルー系統の色相が変わるので、ＬＵＴ生成モジュール１２０はブルー系統の色相が補正されるようにＬＵＴを生成することもできる。
【００３０】
色相補正方法は、図５に図示されたグラフを利用できるが、図５を参照すれば、横軸の色相（Ｈｕｅ）値が２００から３２０の間に存在する色相がブルー系統の色相である。縦軸の輝度情報は、０から１００までスケーリングされて表示されている。
【００３１】
例えば、色相値が３００に該当するグラフ曲線４１０を見れば、輝度（Ｌｉｇｈｔｎｅｓｓ）が１００である場合には、約２７０の色相値に対応することが分かる。すなわち、色相値が３００に該当する画素情報は、色相値を２７０に補正することで輝度を強化しても、ユーザの立場ではブルー系統の色相に歪曲が発生しないようにすることである。図５に図示されたグラフを見れば、輝度が増加されるにつれてブルー系統の色相値が減少することが分かる。
【００３２】
一方、パラメータ生成モジュール１３０は、図６に図示されたように外部環境条件で時間の流れによって目が適応する輝度を示すグラフを反映して局所的なコントラストを調節するためのパラメータの値を決定する。このとき、本発明では、決定されたパラメータをＷに表わす。
【００３３】
一般的に、ユーザが暗い所から明るい所に移動した場合に、ユーザの目は一定した輝度を感知するまで一定時間を必要とし、図６はこれを表わしている。図６で２個のグラフ６１０、６２０は、各々相異なる照度で目が感知する輝度を表わしている。
【００３４】
パラメータ生成モジュール１３０は、照度感知モジュール１１０から感知された照度が一定に持続する時間を計算する。例えば、図６で上に位置したグラフ６１０が４０，０００ルクス（Ｌｕｘ）の照度を表わす場合、４０，０００ルクスの持続時間が１００秒に計算されたら、これに該当する輝度情報６３０に対応してパラメータＷ値を決定し、４０，０００ルクスの持続時間が５００秒に計算されたら、これに該当する輝度情報６４０に対応してパラメータＷ値を決定する。このとき、パラメータ生成モジュール１３０は、特定照度が持続する時間とこれに対応するパラメータＷと値をテーブル状にあらかじめ保存することができ、前記パラメータＷ値は局所的なコントラスト補償が最適化されるように実験的に得られうる。
【００３５】
一方、図６に図示されたようなグラフは、“Ｊｏｕｒｎａｌ  ｏｆ  ｔｈｅ  Ｏｐｔｉｃａｌ  Ｓｏｃｉｅｔｙ  ｏｆ  Ａｍｅｒｉｃａ、  ３９、１７２−１７９”に開始されている。
【００３６】
映像マッピングモジュール１４０は、ＬＵＴ生成モジュール１２０によって生成されたＬＵＴを用いて入力された映像の映像情報を高照度環境での映像情報にマッピングする。もし、前記生成されたＬＵＴに入力された映像のＲＧＢ  映像情報に対応する映像情報が設定されていない場合には、隣接する映像情報を補間してマッピングするようにし、このときの補間は従来の多様な補間方法を利用できる。
【００３７】
局所的なコントラスト強化モジュール１５０は、パラメータ生成モジュール１３０から提供されるパラメータＷと、入力された原映像に対する映像情報及び映像マッピングモジュール１４０によってマッピングされた映像に対する映像情報を用いて局所的なコントラストを強化する。
【００３８】
図７では、局所的なコントラスト強化モジュール１５０の構成要素を図示しており、図８では、局所的なコントラスト強化モジュール１５０によって局所的なコントラストが強化される動作を説明しているところ、図７及び図８を用いて本発明による局所的なコントラスト強化の方法を具体的に説明する。
【００３９】
図７を参照すれば、局所的なコントラスト強化モジュール１５０は、輝度演算モジュール１５２、低域通過フィルタ（ｌｏｗ  ｐａｓｓ  ｆｉｌｔｅｒ）１５４、インデックス演算モジュール１５６及び局所的なコントラスト補償モジュール１５８を含む。
【００４０】
まず、輝度演算モジュール１５２は、入力された原映像及び映像マッピングモジュール１４０によってマッピングされた映像に対する輝度を演算する（Ｓ８１０）。このとき、各々を区分するために、本明細書は入力された原映像を構成する各々の画素に対する輝度を‘Ｙ＿ｐｉｘｅｌ’に表示し、入力された原映像を構成する全体画素に対する平均輝度を‘Ｙ＿ｍｅａｎ’に表示し、マッピングされた映像を構成する各々の画素に対する輝度を‘Ｙ’＿ｐｉｘｅｌ’に表示する。
【００４１】
低域通過フィルタ１５４は、Ｙ＿ｐｉｘｅｌとＹ’＿ｐｉｘｅｌとを低域通過フィルタリングする（Ｓ８２０）。このとき、フィルタリングされたＹ＿ｐｉｘｅｌとＹ’＿ｐｉｘｅｌとを各々‘Ｙ＿ｐｉｘｅｌ＿ｆｉｌｔｅｒｅｄ’と‘Ｙ’＿ｐｉｘｅｌ＿ｆｉｌｔｅｒｅｄ’とで表示する。
【００４２】
そして、インデックス演算モジュール１５６は、入力映像に対するコントラストインデックスとコントラスト比率インデックスとを演算する（Ｓ８３０）。
【００４３】
このとき、コントラストインデックスとコントラスト比率インデックスは、各々数式（１）と数式（２）とによって定義されうる。
【００４４】
【数５】
0005527931.tif 000002
局所的なコントラスト補償モジュール１５８は、数式（１）と数式（２）によって得た各々のインデックス情報を用いて局所的なコントラストを補償する。
【００４５】
まず、局所的なコントラスト補償モジュール１５８は、入力された原映像に対するｃｏｎｔｒａｓｔ＿ｉｎｄｅｘ値を用いて、入力された原映像の暗い領域と明るい領域とを判断する（Ｓ８４０）。このとき、ｃｏｎｔｒａｓｔ＿ｉｎｄｅｘ値が既定のスレショルド値以上であれば、該当する画素領域は暗い領域と判断し、そうではない場合には該当する画素領域が明るい領域と判断する。
【００４６】
もし、暗い領域と判断されれば、該当する画素領域を暗い領域で強化するが（Ｓ８５０）、このとき、局所的なコントラスト補償モジュール１５８は、パラメータＷを用いて強化する程度を調節する。例えば、パラメータＷが強化比率を表わす値であり、入力された原映像がＲＧＢ映像であれば、局所的なコントラストが補償された映像のＲ、Ｇ、Ｂ値は、数式（３）のように表現されうる。ここで、Ｒ’、Ｂ’、Ｇ’は、各々局所的なコントラストが補償された映像情報を表わす。
Ｒ’＝Ｒ−Ｗ＊Ｒ
Ｇ’＝Ｇ−Ｗ＊Ｇ                （３）
Ｂ’＝Ｂ−Ｗ＊Ｂ
一方、Ｓ８４０段階で明るい領域と判断されれば、明るい領域を強化する（Ｓ８６０）。このとき、局所的なコントラスト補償モジュール１５８は、ｃｏｎｔｒａｓｔ＿ｒａｔｉｏ＿ｉｎｄｅｘと既定のスレショルド値との比較によって該当画素領域のコントラストを高めるか、それともそのまま維持するかを決定する。
【００４７】
もし、該当する画素のコントラストを高めなければならない領域と判断される場合には、入力される原映像のコントラスト値とパラメータＷとを用いて該当する画素のコントラストを向上させる。例えば、パラメータＷが強化比率を表わす値であり、入力された原映像がＲＧＢ映像であれば、局所的なコントラストを向上させる画素のＲ、Ｇ、Ｂ値は、数式（４）のように表現されうる。ここで、Ｒ’、Ｂ’、Ｇ’は、各々局所的なコントラストが向上した映像情報を表わす。
Ｒ’＝Ｒ＋Ｗ＊Ｒ＊ｃｏｎｔｒａｓｔ＿ｒａｔｉｏ＿ｉｎｄｅｘ
Ｇ’＝Ｇ＋Ｗ＊Ｇ＊ｃｏｎｔｒａｓｔ＿ｒａｔｉｏ＿ｉｎｄｅｘ       （４）
Ｂ’＝Ｂ＋Ｗ＊Ｂ＊ｃｏｎｔｒａｓｔ＿ｒａｔｉｏ＿ｉｎｄｅｘ
暗い領域または明るい領域が強化された後、局所的なコントラスト補償モジュール１５８は、補償された映像を未図示されたディスプレイ画面によってユーザに出力する（Ｓ８７０）。
【００４８】
図９Ａないし図１０Ｂは、本発明の一実施形態による実験結果を示す図面であって、図９Ａ及び図１０Ａは入力された原映像を表わし、図９Ｂ及び図１０Ｂは本発明によって局所的なコントラストが強化された補償された映像を表わしている。
【００４９】
すなわち、ユーザが個人用携帯端末機を用いて高照度環境で図９Ａまたは図１０Ａのような映像を見る場合に、外部の高照度によって実際は映像に対する視認性が低下して原映像どおりに見ることができなくなる。しかし、個人用携帯端末機は、本発明によるＬＵＴ及び局所的なコントラスト補償によって図９Ｂまたは図１０Ｂのように補償された映像をディスプレイ画面によって出力し、ユーザは図９Ｂまたは図１０Ｂのように補償された映像を見るものではなく、外部照度によって図９Ａまたは図１０Ａのような原映像を見ることができるようになって入力された映像に対する視認性を確保し、局所的なコントラスト補償によって細密な部分までも見ることができる。
【００５０】
以上、添付された図面を参照して本発明の実施形態を説明したが、当業者ならば本発明がその技術的思想や必須的な特徴を変更せずとも、他の具体的な形態に実施できるということを理解できるであろう。したがって、前述した実施形態は、あらゆる面で例示的なものであり、限定的ではないと理解せねばならない。
【産業上の利用可能性】
【００５１】
本発明は、映像の視認性を向上させる装置及び方法に関連する技術分野に適用されうる。
【図面の簡単な説明】
【００５２】
【図１】本発明の一実施形態によって映像の視認性を向上させる装置の構造を示すブロック図である。
【図２】本発明の他の実施形態によるルックアップテーブルを示す図である。
【図３】本発明の一実施形態によって輝度を強化するためのグラフを示す図である。
【図４】本発明の一実施形態によって彩度を強化するためのグラフを示す図である。
【図５】本発明の一実施形態によって色相を補正するためのグラフを示す図である。
【図６】外部環境条件で時間によって目が適応する輝度を示すグラフである。
【図７】本発明の一実施形態による局所的なコントラスト強化モジュールの構造を示す図である。
【図８】本発明の一実施形態によって局所的なコントラストを強化する方法を示すフローチャートである。
【図９Ａ】本発明の一実施形態による実験結果を示す図である。
【図９Ｂ】本発明の一実施形態による実験結果を示す図である。
【図１０Ａ】本発明の一実施形態による実験結果を示す図である。
【図１０Ｂ】本発明の一実施形態による実験結果を示す図である。
【符号の説明】
【００５３】
１１０      照度感知モジュール
１２０      ＬＵＴ生成モジュール
１３０      パラメータ生成モジュール
１４０      映像マッピングモジュール
１５０      局所的なコントラスト強化モジュール
１５２      輝度演算モジュール
１５４      低域通過フィルタ
１５６      インデックス演算モジュール
１５８      局所的なコントラスト補償モジュール
【図１】
0005527931.tif 000007
【図２】
0005527931.tif 000008
【図３】
0005527931.tif 000009
【図４】
0005527931.tif 000010
【図５】
0005527931.tif 000011
【図６】
0005527931.tif 000012
【図７】
0005527931.tif 000013
【図８】
0005527931.tif 000014
【図９Ａ】
0005527931.tif 000015
【図９Ｂ】
0005527931.tif 000016
【図１０Ａ】
0005527931.tif 000017
【図１０Ｂ】
0005527931.tif 000018